(57)【要約】【課題】  ロック機構を備えていても、薄型化を図ることができるスイッチ装置およびそれを備えた時計を提供する。【解決手段】  貫通孔１１が設けられたケース本体８と、このケース本体８の外面に固定され、中心部に挿入孔１２ａが貫通孔１１と同一軸上に対応して設けられたロック部材１２と、ケース本体８の貫通孔１１とロック部材１２の挿入孔１２ａとにスライド可能に挿入されてロック部材１２にロックされる操作部材１３と、を備えている。従って、操作部材をロック部材１２によって確実に且つ良好にロックすることができると共に、ケース本体８の貫通孔１１を操作部材１３が挿入可能な最小限の大きさで小さく形成することができるので、ケース本体８の上下方向の厚みを薄く形成することができる。これにより、ロック機構を備えていても、ケース本体８の薄型化を図り、腕時計全体の薄型化を図ることができる。【選択図】        図３
2020098138.tif 000002
【特許請求の範囲】
【請求項１】
貫通孔が設けられたケースと、
前記ケースの外面に固定され、中心部に挿入孔が前記貫通孔に対応して設けられたロック部材と、
前記ケースの前記貫通孔と前記ロック部材の前記挿入孔とにスライド可能に挿入されて前記ロック部材にロックされる操作部材と、
を備え、
前記挿入孔の内径は、前記貫通孔の内径と同じ、または前記貫通孔の内径よりも大きいことを特徴とするスイッチ装置。
【請求項２】
請求項１に記載のスイッチ装置において、前記ロック部材は、前記ケースの前記外面に固定される固定部と、前記操作部材をロック解除可能にロックするロック部と、を備えていることを特徴とするスイッチ装置。
【請求項３】
請求項１または請求項２に記載のスイッチ装置において、前記操作部材は、前記ケースの前記貫通孔と前記ロック部材の前記挿入孔とにスライド可能に挿入される軸部と、前記軸部の外端部に設けられて前記ロック部材にロック解除可能にロックされる頭部と、を備えていることを特徴とするスイッチ装置。
【請求項４】
請求項３に記載のスイッチ装置において、前記軸部は、前記ロック部材の前記挿入孔にスライド可能に挿入される本体軸と、前記本体軸よりも小径で前記本体軸にスライド連結部を介して取り付けられて前記ケースの前記貫通孔を通して前記ケース内にスライド可能に挿入される操作軸と、を備えていることを特徴とするスイッチ装置。
【請求項５】
請求項１〜請求項４のいずれかに記載のスイッチ装置において、前記ケースの前記外面に設けられた凹部の内周面と前記ロック部材の内端面に設けられて前記ケースの前記凹部内に挿入される凸部の外周面との間に配置される防水部材を備えていることを特徴とするスイッチ装置。
【請求項６】
請求項２に記載されたスイッチ装置において、前記ロック部材の前記固定部は、前記ケースの円周方向に長く形成され、複数のねじ部材によって前記ケースの前記外面に固定され、前記防水部材は、前記固定部が前記複数のねじ部材によって前記ケースの前記外面に固定されることを特徴とするスイッチ装置。
【請求項７】
請求項５に記載されたスイッチ装置において、前記防水部材は、前記固定部が複数のねじ部材によって前記ケースの前記外面に固定される際に、前記ケースの前記外面に対して前記ロック部材を位置決めすることを特徴とするスイッチ装置。
【請求項８】
請求項１〜請求項７のいずれかに記載されたスイッチ装置を備えていることを特徴とする時計。
【発明の詳細な説明】
【技術分野】
【０００１】
この発明は、腕時計などの電子機器に用いられるスイッチ装置およびそれを備えた時計に関する。
【背景技術】
【０００２】
例えば、腕時計のスイッチ装置においては、特許文献１に記載されているように、腕時計ケースの貫通孔にパイプを嵌め込み、このパイプに操作部材の軸部をスライド可能に挿入させ、この操作部材の頭部をロック機構によってロックして、操作部材が不用意にスライドしないように構成されたものが知られている。
【先行技術文献】
【特許文献】
【０００３】
【特許文献１】特開２００６−２３４６５８号公報
【０００４】
この種のスイッチ装置におけるロック機構は、腕時計ケースの貫通孔に嵌め込まれたパイプを腕時計ケースの外部に突出させ、この突出した外端部の外周に雄ねじ部を設け、操作部材の外端部に設けられた頭部内の内周面に雌ねじ部を設け、操作部材を腕時計ケースの内部に向けて押し込んだ状態で、頭部の雌ねじ部をパイプの雄ねじ部に螺合させることにより、操作部材の頭部をロックする構造になっている。
【発明の概要】
【発明が解決しようとする課題】
【０００５】
しかしながら、このような腕時計のスイッチ装置では、腕時計ケースの貫通孔にパイプを嵌め込み、このパイプに操作部材の軸部を挿入させる構造であるから、パイプによって腕時計ケースの貫通孔の孔径が大きくなり、これに伴って腕時計ケースにおける上下方向の厚みが厚くなるため、腕時計ケースの薄型化を図ることができないという問題がある。
【０００６】
この発明が解決しようとする課題は、ロック機構を備えていても、薄型化を図ることができるスイッチ装置およびそれを備えた時計を提供することである。
【課題を解決するための手段】
【０００７】
この発明は、貫通孔が設けられたケースと、前記ケースの外面に固定され、中心部に挿入孔が前記貫通孔に対応して設けられたロック部材と、前記ケースの前記貫通孔と前記ロック部材の前記挿入孔とにスライド可能に挿入されて前記ロック部材にロックされる操作部材と、を備え、前記挿入孔の内径は、前記貫通孔の内径と同じ、または前記貫通孔の内径よりも大きいことを特徴とするスイッチ装置である。
【発明の効果】
【０００８】
この発明によれば、ロック機構を備えていても、薄型化を図ることができる。
【図面の簡単な説明】
【０００９】
【図１】この発明を適用した腕時計の第１実施形態を示した拡大正面図である。
【図２】図１に示された腕時計のスイッチ装置を分解して示した要部の拡大斜視図である。
【図３】図１に示された腕時計のＡ−Ａ矢視における要部を示した拡大断面図である。
【図４】図３に示されたスイッチ装置において、ロック部材によるロックが解除されて操作部材が押し出された状態を示した要部の拡大断面図である。
【図５】この発明を腕時計に適用した第２実施形態において、ロック部材によって操作部材がロックされた状態を示した要部の拡大断面図である。
【図６】図５に示された腕時計のスイッチ装置において、ロック部材によるロックが解除されて操作部材が押し出された状態を示した要部の拡大断面図である。
【図７】図５に示されたロック部材を示し、（ａ）はその拡大斜視図、（ｂ）はその拡大正面図である。
【図８】図５に示された操作部材の要部を示し、（ａ）はその拡大斜視図、（ｂ）はその拡大正面図である。
【発明を実施するための形態】
【００１０】
（第１実施形態）
以下、図１〜図４を参照して、この発明を適用した腕時計の第１実施形態について説明する。
この腕時計は、図１に示すように、腕時計ケース１を備えている。この腕時計ケース１の１２時側と６時側とには、時計バンド（図示せず）が取り付けられるバンド取付部２がそれぞれ設けられている。
【００１１】
この腕時計ケース１の２時側、４時側、８時側、および１０時側には、図１に示すように、押釦スイッチ３がそれぞれ設けられており、この腕時計ケース１の３時側には、スイッチ装置４が設けられている。また、この腕時計ケース１の上部開口部には、図３および図４に示すように、時計ガラス５が設けられている。この腕時計ケース１の下部には、裏蓋６が防水リング６ａを介して取り付けられている。
【００１２】
この腕時計ケース１の内部には、図３および図４に示すように、時計モジュール７が設けられている。この時計モジュール７は、指針７ａを文字板７ｂの上方で運針させて時刻を指示する時計ムーブメント、時刻などの情報を電気光学的に表示する表示部、これらを電気的に制御して駆動する回路部など、時計機能に必要な各種の部品（いずれも図示せず）を備えている。
【００１３】
ところで、腕時計ケース１は、図３および図４に示すように、ケース本体８と外装部材９とを備えている。ケース本体８は、剛性の高いポリアミド樹脂にカーボン繊維またはガラス繊維を含有させたもので、重量が軽く強度の高いものである。外装部材９は、ケース本体８の外周に設けられた第１外装部９ａと、ケース本体８の上部外周および第１外装部９ａの上部外周を覆う第２外装部９ｂと、を備えている。第１外装部９ａは、ウレタン樹脂などの軟質の合成樹脂で形成されており、第２外装部９ｂは、ステンレスやチタンなどの金属で形成されている。
【００１４】
一方、スイッチ装置４は、図２〜図４に示すように、ロック機能を備えたものであり、貫通孔１１が設けられた３時側のケース本体８の外面に固定されて、中心部に挿入孔１２ａがケース本体８の貫通孔１１と同一軸上に対応するロック部材１２と、ケース本体８の貫通孔１１およびロック部材１２の挿入孔１２ａにスライド可能に挿入されてロック部材１２にロックされる操作部材１３と、を備えている。
【００１５】
この場合、ケース本体８は、図２〜図４に示すように、スイッチ装置４に対応する３時側の外面にロック部材１２の取付部である台座部８ａが外部に向けて突出して設けられている。すなわち、この台座部８ａは、外装部材９の外周面から外部に突出しない状態で、ケース本体８の外周にその円周方向に沿って長く形成され、外装部材９によって周囲が囲われて覆われるように構成されている。この場合、台座部８ａは、外面が平坦面に形成されている。
【００１６】
この台座部８ａの中心部には、図３および図４に示すように、貫通孔１１の大径孔１１ｂよりも大きい円形状の凹部８ｂが設けられている。この場合、貫通孔１１は、ケース本体８に設けられた小径孔１１ａと、台座部８ａに設けられた大径孔１１ｂと、を備えている。また、この台座部８ａの両側部には、ケース本体８の内部に貫通しない非貫通のねじ穴８ｃがそれぞれ設けられている。
【００１７】
ロック部材１２は、図２〜図４に示すように、ケース本体８の外面に固定される固定部１４と、操作部材１３をロック解除可能にロックするロック部１５と、を備えている。このロック部材１２は、ステンレスなどの金属またはケース本体８よりも強度の高い合成樹脂などの素材によって固定部１４とロック部１５とが一体に形成された構造になっている。
【００１８】
固定部１４は、図２〜図４に示すように、ケース本体８の台座部８ａと同様、ケース本体８の外周面における円周方向に沿って長く形成されて、ケース本体８の台座部８ａに固定されるように構成されている。すなわち、この固定部１４は、ケース本体８の台座部８ａとほぼ同じ大きさで円周方向に長いほぼ長方形の板状に形成されている。この場合、固定部１４は、中心部がロック部１５の外径よりも少し大きいほぼ円形状に形成され、両側部における上下方向の長さ（高さ）がロック部１５の外径よりも少し短く形成されている。
【００１９】
また、この固定部１４は、図２〜図４に示すように、両側部にねじ挿入孔１４ａが台座部８ａの各ねじ穴８ｃにそれぞれ対応して設けられている。これにより、固定部１４は、ケース本体８の台座部８ａに配置された状態で、複数のねじ部材１６が固定部１４の各ねじ挿入孔１４ａを通して台座部８ａの各ねじ穴８ｃに螺合して締め付けられることにより、ケース本体８の台座部８ａに固定されるように構成されている。
【００２０】
この場合、固定部１４の中心部には、図２〜図４に示すように、円筒状の凸部１７がケース本体８側に向けて突出して設けられている。この円筒状の凸部１７は、固定部１４がケース本体８の台座部８ａに取り付けられた際に、台座部８ａの中心部に設けられた円形状の凹部８ｂ内に防水部材１８を介して配置されるように構成されている。
【００２１】
すなわち、円筒状の凸部１７は、図２〜図４に示すように、外径が台座部８ａの凹部８ｂの内径よりも小さく形成され、台座部８ａの凹部８ｂ内に挿入された際に、凸部１７の外周面と凹部８ｂの内周面との間に隙間が設けられるように構成されている。防水部材１８は、ゴムなどの弾力を有する防水リングであり、凸部１７の外周面と凹部８ｂの内周面との間の隙間に圧縮されて配置されることにより、固定部１４の凸部１７と台座部８ａの凹部８ｂとの間の防水を図るように構成されている。
【００２２】
また、この防水部材１８は、図３および図４に示すように、凸部１７の外周面と凹部８ｂの内周面との間に挟まれた状態で、固定部１４が複数のねじ部材１６によって締め付けられて台座部８ａに固定される際に、固定部１４の内面に押し当てられるように構成されている。これにより、防水部材１８は、固定部１４の内面に押し当てられる際に、ケース本体８の台座部８ａに対してロック部材１２を位置決めするように構成されている。
【００２３】
すなわち、この防水部材１８は、図３および図４に示すように、固定部１４が複数のねじ部材１６によって台座部８ａに固定される際に、防水部材１８の弾力によって台座部８ａに対する固定部１４の取付状態、つまり固定部１４の上下左右方向の傾きを調整して、ケース本体８の貫通孔１１とロック部材１２の挿入孔１２ａとを同一軸上に対応させて一致させるように、ロック部材１２を台座部８ａに対して位置決めするように構成されている。
【００２４】
ロック部１５は、図２〜図４に示すように、円筒部であり、固定部１４にその中心部からケース本体８の外部に向けて突出して設けられている。このロック部１５は、外周面に雄ねじ部１５ａが設けられている。この場合、ロック部材１２の挿入孔１２ａは、固定部１４の円筒状の凸部１７の内端面からロック部１５の外端面に亘って同じ内径で貫通して設けられ、その内径が貫通孔１１の大径孔１１ｂの内径と同じ大きさで形成されている。
【００２５】
操作部材１３は、図２〜図４に示すように、ケース本体８の貫通孔１１とロック部材１２の挿入孔１２ａとにスライドおよび回転可能に挿入される軸部２０と、この軸部２０の外端部に設けられてロック部材１２のロック部１５にロック解除可能にロックされる頭部２１と、を備えている。
【００２６】
軸部２０は、図２〜図４に示すように、ケース本体８の台座部８ａに設けられた貫通孔１１の大径孔１１ｂとロック部材１２の挿入孔１２ａとにスライドおよび回転可能に挿入される円筒状の本体軸２２と、この本体軸２２内にスライド可能に配置されるスライド連結部２３と、このスライド連結部２３に一端部が取り付けられて他端部がケース本体８の内部に差し込まれて配置される巻芯である操作軸２４と、を備えている。
【００２７】
本体軸２２は、図３および図４に示すように、外径がロック部材１２の挿入孔１２ａの内径つまり台座部８ａにおける貫通孔１１の大径孔１１ｂの内径とほぼ同じ大きさの円筒状に形成されている。この本体軸２２は、その外周面がロック部材１２の内周面に設けられた複数の防水パッキン２５に圧接した状態で、軸方向に摺動する構造になっている。これにより、本体軸２２の外周面とロック部材１２の挿入孔１２ａの内周面との間は、防水パッキン２５によって防水が図られている。
【００２８】
また、この本体軸２２の内部には、図３および図４に示すように、ケース本体８の内部側に設けられた四角形など多角形や楕円などの非円形孔部２２ａと、ケース本体８の外部側に設けられて非円形孔部２２ａに内接する大きさの円形孔部２２ｂと、が設けられている。非円形孔部２２ａは、ケース本体８の貫通孔１１の小径孔１１ａが内接する大きさに形成されている。
【００２９】
また、円形孔部２２ｂは、図３および図４に示すように、内径がケース本体８の貫通孔１１における小径孔１１ａの内径と同じ大きさに形成されている。これにより、本体軸２２は、非円形孔部２２ａ内にスライド連結部２３がスライド可能に配置され、この非円形孔部２２ａと円形孔部２２ｂとの内部にコイルばね２６が伸縮変形可能に配置されるように構成されている。
【００３０】
スライド連結部２３は、図３および図４に示すように、外径がケース本体８の貫通孔１１の小径孔１１ａの内径と同じか、それよりも少し大きい円柱状に形成され、本体軸２２の非円形孔部２２ａ内からケース本体８側に向けて出没するように構成されている。このスライド連結部２３の端部、つまりケース本体８の外部側の端部には、ストッパ部２３ａが設けられている。
【００３１】
このストッパ部２３ａは、図３および図４に示すように、外形が本体軸２２の非円形孔部２２ａと同じ四角形などの多角形や楕円などの非円形状に形成されている。これにより、ストッパ部２３ａは、本体軸２２の非円形孔部２２ａ内をスライドすると共に、本体軸２２と共に一体的に回転するように構成されている。
【００３２】
また、このストッパ部２３ａは、図３および図４に示すように、ケース本体８側に位置する本体軸２２の非円形孔部２２ａの内端部に設けられた抜止め部２２ｃに接離可能に当接するように構成されている。これにより、ストッパ部２３ａは、抜止め部２２ｃによってスライド連結部２３が本体軸２２の非円形孔部２２ａ内からケース本体８側に抜け出して脱落しないように構成されている。
【００３３】
この場合、本体軸２２の内部には、図３および図４に示すように、スライド連結部２３をケース本体８の内部側に向けて付勢するコイルばね２６が設けられている。このコイルばね２６は、一端部がスライド連結部２３に押し当てられ、他端部がケース本体８の外部側に位置する本体軸２２の円形孔部２２ｂの奥側の端部に押し当てられた状態で、本体軸２２の内部に配置されている。
【００３４】
操作軸２４は、図３および図４に示すように、本体軸２２内にスライド可能に配置されたスライド連結部２３の外径、つまりケース本体８の貫通孔１１の小径孔１１ａの内径よりも外径が小さい棒状に形成されている。このため、ケース本体８は、貫通孔１１の小径孔１１ａの内径が操作軸２４の挿入可能な最小限の大きさで小さく形成されることにより、ケース本体８の上下方向の長さ（厚み）が短く（薄く）形成されている。
【００３５】
この操作軸２４は、図３および図４に示すように、一端部がスライド連結部２３に取り付けられ、他端部がケース本体８の貫通孔１１の小径孔１１ａを通してケース本体８内の時計モジュール７の内部にスライドおよび回転可能な状態で配置されるように構成されている。これにより、操作軸２４は、本体軸２２の非円形孔部２２ａ内に配置されたスライド連結部２３のスライド動作に伴って時計モジュール７内でスライドすると共に、スライド連結部２３の回転動作に伴って時計モジュール７内で回転するように構成されている。
【００３６】
すなわち、この操作軸２４は、図示しないが、スライド連結部２３が本体軸２２および頭部２１と共に腕時計ケース１の外部に向けて引き出されて、時計モジュール７の内部でスライドした際に、時計モジュール７の時刻修正を可能な状態にし、この状態でスライド連結部２３の回転動作に伴って時計モジュール７内で回転すると、時計モジュール７の時刻修正を実行させるように構成されている。
【００３７】
一方、頭部２１は、図２〜図４に示すように、本体軸２２の外端部に一体に設けられている。この頭部２１は、外径がロック部材１２の固定部１４における中心部の外径よりも少し大きい円形状に形成されている。すなわち、この頭部２１は、外径の半径が貫通孔１１の中心線からケース本体８の下面までの長さよりも少し長く、かつ貫通孔１１の中心線から裏蓋６の下面までの長さよりも少し短い大きさの円形状に形成されている。
【００３８】
また、この頭部２１は、図２〜図４に示すように、内部に本体軸２２の外径よりも大きく、かつロック部１５の外径とほぼ同じ大きさのリング状の凹部２１ａが設けられた構造になっている。この場合、頭部２１の凹部２１ａ内における奥側には、リング状の緩衝材２７が凹部２１ａの奥側の内端面に押し当てられた状態で配置されている。
【００３９】
また、頭部２１の凹部２１ａの内周面には、図３および図４に示すように、ロック部１５の雄ねじ部１５ａに螺合する雌ねじ部２１ｂが設けられている。これにより、頭部２１は、ケース本体８の内部に向けて押し込まれた状態で、一方向に回転された際に、雌ねじ部２１ｂがロック部材１２のロック部１５の雄ねじ部１５ａに螺合するように構成されている。
【００４０】
また、この頭部２１は、図３および図４に示すように、雌ねじ部２１ｂがロック部材１２のロック部１５の雄ねじ部１５ａに螺合して締め付けられた際に、ロック部１５と頭部２１の凹部２１ａの内端面との間に挟まれた緩衝材２７を弾性変形させた状態で、ロック部１５にロックされるように構成されている。これら頭部２１の雌ねじ部２１ｂとロック部１５の雄ねじ部１５ａとによって、ロック機構が構成されている。
【００４１】
これにより、操作部材１３は、図４に示すように、通常の状態のときに、操作軸２４が時計モジュール７内に位置規制され、スライド連結部２３が本体軸２２の非円形孔部２２ａ内からケース本体８側に押し出されて、本体軸２２がコイルばね２６のばね力によってケース本体８の外部に押し出され、スライド連結部２３のストッパ部２３ａが本体軸２２の抜け止め部２２ｃに当接するように構成されている。
【００４２】
また、この操作部材１３は、図４に示す通常の状態で、頭部２１をケース本体８の内部に向けて押し込んでロックする際に、頭部２１と共に本体軸２２がコイルばね２６のばね力に抗してスライドし、このスライドに伴ってスライド連結部２３が本体軸２２の非円形孔部２２ａ内に押し込まれるように構成されている。
【００４３】
また、この操作部材１３は、図４に示すように、スライド連結部２３が本体軸２２の非円形孔部２２ａ内に押し込まれた状態で、頭部２１を一方向に回転させて、頭部２１の雌ねじ部２１ｂをロック部材１２の雄ねじ部１５ａに螺合させる際に、本体軸２２がコイルばね２６のばね力に抗してケース本体８の内部側に向けてスライドするように構成されている。
【００４４】
この場合、操作部材１３は、図３および図４に示すように、ロック部材１２の雄ねじ部１５ａに対する頭部２１の雌ねじ部２１ｂの螺合に伴って、コイルばね２６のばね力に抗して本体軸２２がケース本体８の内部側に向けてスライドする際に、時計モジュール７内に位置規制された状態の操作軸２４によって、スライド連結部２３が本体軸２２のスライドに伴って本体軸２２内の非円形孔部２２ａ内に徐々に押し込まれて、ストッパ部２３ａが本体軸２２の抜止め部２２ｃから徐々に離れるように構成されている。
【００４５】
また、この操作部材１３は、図３に示すように、頭部２１が一方向に回転する際に、頭部２１の回転に伴ってスライド連結部２３のストッパ部２３ａが本体軸２２と共に回転し、このスライド連結部２３の回転と共に操作軸２４が回転しながら、ロック部材１２の雄ねじ部１５ａに対する頭部２１の雌ねじ部２１ｂの螺合が進んで、頭部２１がロック部１５にロックされるように構成されている。
【００４６】
一方、この操作部材１３は、図３および図４に示すように、頭部２１が一方向と反対方向に回転されて、ロック部１５の雄ねじ部１５ａに対する雌ねじ部２１ｂの螺合が外れると、雄ねじ部１５ａに対する雌ねじ部２１ｂのロックが解除され、本体軸２２内のコイルばね２６のばね力によって本体軸２２が頭部２１と共に腕時計ケース１の外部に向けて押し出されるように構成されている。
【００４７】
すなわち、この操作部材１３は、図４に示すように、頭部２１を反対方向に回転させて、ロック部材１２の雄ねじ部１５ａに対する頭部２１の雌ねじ部２１ｂの螺合を緩めて、ロック部１５による頭部２１のロックを解除する際に、コイルばね２６のばね力によって本体軸２２が頭部２１と共にケース本体８の外部に向けて徐々に押し出されながら、スライド連結部２３が本体軸２２の非円形孔部２２ａ内から徐々に引き出されて、ストッパ部２３ａが抜止め部２２ｃに徐々に近づくように構成されている。
【００４８】
この場合、操作部材１３は、図４に示すように、ロック部材１２の雄ねじ部１５ａに対する頭部２１の雌ねじ部２１ｂの螺合が外れて、ロック部１５による頭部２１のロックが解除された際に、コイルばね２６のばね力によって本体軸２２が頭部２１と共にケース本体８の外部に向けて押し出されて、スライド連結部２３が本体軸２２の非円形孔部２２ａ内から引き出されて、ストッパ部２３ａが本体軸２２の抜止め部２２ｃに当接するように構成されている。
【００４９】
さらに、この操作部材１３は、図４に示すように、コイルばね２６のばね力によって本体軸２２が頭部２１と共にケース本体８の外部に向けて押し出されて、スライド連結部２３が本体軸２２の抜止め部２２ｃに当接した状態で、頭部２１が更にケース本体８の外部に引き出された際に、操作部材１３の操作軸２４が本体軸２２と共に時計モジュール７内で引き出される方向にスライドすると共に、操作部材１３の頭部２１の回転操作に伴って操作軸２４が時計モジュール７内で回転するように構成されている。
【００５０】
すなわち、この操作部材１３は、ロック部１５による頭部２１のロックが解除された状態で、操作軸２４が更に引き出されて時計モジュール７の内部でスライドした際に、時計モジュール７を時刻修正可能な状態にし、この状態で頭部２１の回転操作に伴って操作軸２４が時計モジュール７内で回転すると、時計モジュール７の時刻修正が実行されるように構成されている。
【００５１】
次に、この腕時計のスイッチ装置４の作用について説明する。
このスイッチ装置４を組み立てる場合には、まず、ケース本体８の外面にロック部材１２を取り付ける。このときには、予め、ロック部材１２の挿入孔１２ａ内に複数の防水パッキン２５を取り付けると共に、ロック部材１２の凸部１７の外周に防水部材１８を取り付ける。この状態で、凸部１７をケース本体８の外周に設けられた台座部８ａの凹部８ｂ内に挿入させて、防水部材１８を凸部１７の外周面と凹部８ｂの内周面との間に挟み付ける。
【００５２】
この状態で、ロック部材１２の固定部１４をケース本体８の台座部８ａに固定する。このときには、固定部１４の両側部に設けられたねじ挿入孔１４ａを台座部８ａの各ねじ穴８ｃにそれぞれ対応させ、この状態で固定部１４の各ねじ挿入孔１４ａを通して複数のねじ部材１６を台座部８ａの各ねじ穴８ｃに螺合させて締め付ける。ことにより、ケース本体８の台座部８ａに固定部１４が固定され、ロック部材１２がケース本体８の外面に取り付けられる。
【００５３】
この場合、固定部１４が複数のねじ部材１６によって締め付けられて台座部８ａに固定される際には、凸部１７の外周面と凹部８ｂの内周面との間に挟まれた防水部材１８が固定部１４の内面に押し当てられることにより、ケース本体８の台座部８ａにロック部材１２が位置決めされる。すなわち、固定部１４が複数のねじ部材１６によって台座部８ａに固定される際には、台座部８ａに対する固定部１４の取付状態、つまり固定部１４の上下左右方向の傾きが防水部材１８の弾力によって調整される。
【００５４】
これにより、ロック部材１２が台座部８ａに対して位置決めされて、ケース本体８の貫通孔１１とロック部材１２の挿入孔１２ａとが同一軸上に対応して一致する。また、このときには、防水部材１８が固定部１４の凸部１７の外周面と台座部８ａの凹部８ｂの内周面との間に挟まれるので、この防水部材１８によって固定部１４の凸部１７と台座部８ａの凹部８ｂとの間の防水が図られる。
【００５５】
この状態で、ケース本体８の上部開口部に時計ガラス５を取り付けて、ケース本体８の外周に第１外装部９ａを取り付けた上、ケース本体８の上部外周および第１外装部９ａの上部外周に第２外装部９ｂを取り付ける。このときには、ロック部材１２のロック部１５を除いて、ロック部材１２の固定部１４の両側部および複数のねじ部材１６が外装部材９によって覆われる。
【００５６】
そして、ロック部材１２の挿入孔１２ａとケース本体８の貫通孔１１とに操作部材１３を挿入させる。このときには、予め、操作部材１３を組み立てる。この場合には、頭部２１のリング状の凹部２１ａ内に緩衝材２７を挿入させると共に、本体軸２２内の非円形孔部２２ａおよび円形孔部２２ｂ内にコイルばね２６を挿入させる。
【００５７】
この状態で、操作軸２４の一端部が取り付けられたスライド連結部２３をコイルばね２６のばね力に抗して本体軸２２の非円形孔部２２ａ内に挿入させて、本体軸２２内の内端部に抜止め部２２ｃを取り付ける。これにより、操作軸２４がスライド連結部２３を介して本体軸２２に取り付けられて、操作部材１３が組み立てられる。
【００５８】
そして、操作部材１３をロック部材１２の挿入孔１２ａとケース本体８の貫通孔１１とに挿入させる際には、予め、ケース本体８内に時計モジュール７を組み込む。この状態で、操作部材１３の操作軸２４をロック部材１２の挿入孔１２ａとケース本体８の貫通孔１１とに挿入させて時計モジュール７内に差し込んで位置規制し、本体軸２２をロック部材１２の挿入孔１２ａに挿入させる。これにより、操作軸２４が時計モジュール７内に位置規制されて、操作部材１３が取り付けられるので、スイッチ装置４が組み立てられる。
【００５９】
この場合、操作軸２４は、本体軸２２内にスライド可能に配置されたスライド連結部２３の外径、つまりケース本体８の貫通孔１１の小径孔１１ａの内径よりも外径が小さい棒状に形成されている。このため、ケース本体８の貫通孔１１の小径孔１１ａは、その内径を操作軸２４が挿入可能な最小限の大きさで小さく形成することが可能になり、ケース本体８の上下方向の長さ（厚み）を短く（薄く）形成することができる。
【００６０】
次に、このスイッチ装置４を操作する場合について説明する。
このスイッチ装置４を使用しない場合には、図４に示す通常状態で、操作部材１３の頭部２１をコイルばね２６のばね力に抗してケース本体８の内部に向けて押し込んで、頭部２１をロック部材１２のロック部１５にロックする。
【００６１】
すなわち、図４に示す通常状態のときには、軸部２０の操作軸２４が時計モジュール７内に位置規制されている。この状態で、頭部２１をケース本体８の内部に向けて押し込むと、コイルばね２６のばね力に抗して本体軸２２がロック部材１２の挿入孔１２ａ内においてケース本体８の内部側に向けてスライドする。
【００６２】
このときには、時計モジュール７内で位置規制された操作軸２４によって、スライド連結部２３が本体軸２２のスライドに伴って本体軸２２の非円形孔部２２ａ内に押し込まれ、スライド連結部２３のストッパ部２３ａが本体軸２２の抜止め部２２ｃから離れる。この状態で、頭部２１を一方向に回転させて、頭部２１の雌ねじ部２１ｂをロック部材１２の雄ねじ部１５ａに螺合させて締め付ける。
【００６３】
すると、コイルばね２６のばね力に抗して本体軸２２がロック部材１２の挿入孔１２ａ内においてケース本体８の内部側に向けて徐々にスライドし、この本体軸２２のスライドに伴ってスライド連結部２３が本体軸２２内の非円形孔部２２ａ内に徐々に押し込まれて、ストッパ部２３ａが抜止め部２２ｃから徐々に離れる。
【００６４】
このように頭部２１が一方向に回転された際には、頭部２１の回転に伴ってスライド連結部２３のストッパ部２３ａが本体軸２２と共に回転し、このスライド連結部２３の回転と共に操作軸２４が回転しながら、頭部２１の雌ねじ部２１ｂがロック部材１２の雄ねじ部１５ａに螺合して、頭部２１がロック部１５にロックされる。このため、スイッチ装置４は不用意に動作することはない。
【００６５】
また、このスイッチ装置４を操作する場合には、まず、操作部材１３の頭部２１を一方向と反対方向に回転させて、ロック部材１２による操作部材１３のロックを解除する。すなわち、頭部２１を反対方向に回転させると、ロック部材１２の雄ねじ部１５ａに対する頭部２１の雌ねじ部２１ｂの螺合が緩められて、ロック部１５による頭部２１のロックが解除される。
【００６６】
このときには、ロック部材１２の雄ねじ部１５ａに対する頭部２１の雌ねじ部２１ｂの螺合が外れるので、コイルばね２６のばね力によって本体軸２２が頭部２１と共にケース本体８の外部に向けて押し出されて、スライド連結部２３が本体軸２２の非円形孔部２２ａ内から引き出され、ストッパ部２３ａが抜止め部２２ｃに当接する。
【００６７】
この状態で、頭部２１が更にケース本体８の外部に引き出されると、本体軸２２がロック部材１２の挿入孔１２ａ内をスライドして頭部２１と共に引き出される。このときには、スライド連結部２３が抜止め部２２ｃに当接しているので、スライド連結部２３が本体軸２２と共に引き出される。これに伴って操作軸２４が引き出されるので、操作軸２４が時計モジュール７内でスライドする。これにより、時計モジュール７が時刻修正可能な状態になる。
【００６８】
この状態で、頭部２１を回転させると、この頭部２１の回転に伴って本体軸２２がロック部材１２の挿入孔１２ａ内で回転し、この本体軸２２の回転に伴ってスライド連結部２３のストッパ部２３ａがスライド連結部２３と共に回転する。すると、このスライド連結部２３の回転に伴って操作軸２４が時計モジュール７内で回転する。これにより、時計モジュール７の時刻修正が実行される。
【００６９】
このように、この腕時計のスイッチ装置４によれば、貫通孔１１が設けられたケース本体８と、このケース本体８の外面に固定され、中心部に挿入孔１２ａが貫通孔１１と同一軸上に対応して設けられたロック部材１２と、ケース本体８の貫通孔１１とロック部材１２の挿入孔１２ａとにスライド可能に挿入されてロック部材１２にロックされる操作部材１３と、を備えていることにより、ロック部材１２によって操作部材１３をロックするロック機構を備えていても、ケース本体８の薄型化を図ることができる。
【００７０】
また、ロック部材１２はケース本体８の外面に固定されるため、ケース本体の貫通孔にパイプを嵌め込みケース本体内で固定し、パイプに操作部材をロックする従来の構造よりも、ケース本体８の径方向への小型化を図ることができると共に、腕時計全体の径方向への小型化を図ることができる。
【００７１】
すなわち、この腕時計のスイッチ装置４では、ケース本体８の貫通孔１１を操作部材１３が挿入可能な最小限の大きさで小さく形成することができるので、ロック部材１２によって操作部材１３をロックするロック機構を備えていても、ケース本体８の上下方向の厚みを薄く形成することができ、これによりケース本体８の薄型化を図ることができると共に、腕時計全体の薄型化を図ることができる。
【００７２】
また、ケース本体８の貫通孔１１を操作部材１３が挿入可能な最小限の大きさで小さく形成することで、貫通孔１１の周辺のケース本体の肉厚を十分確保することができ、ケース本体８の強度を上げることができる。また、貫通孔１１の小径孔１１ａと大径孔１１ｂの内径は同じであっても良い。
【００７３】
この場合、このスイッチ装置４では、ロック部材１２のロック部１５の外周面に雄ねじ部１５ａが設けられ、操作部材１３の頭部２１に設けられた凹部２１ａの内周面に雌ねじ部２１ｂが設けられていることにより、ロック機構を構成することができるので、操作部材１３をケース本体８の内部側に向けて押し込んだ状態で、頭部２１の雌ねじ部２１ｂをロック部１５の雄ねじ部１５ａに螺合させて締め付けることができ、これにより操作部材１３をケース本体８に対して確実にかつ良好にロックすることができる。
【００７４】
また、このスイッチ装置４は、ロック部材１２が、ケース本体８の外面に固定される固定部１４と、操作部材１３をロック解除可能にロックするロック部１５と、を備えていることにより、ロック部材１２の挿入孔１２ａをケース本体８の貫通孔１１と同一軸上に対応させた状態で、固定部１４をケース本体８の外面に固定することができるので、ロック部材１２が操作部材１３をロックするロック部１５を備えていても、ロック部材１２を固定部１４によってケース本体８の外面に確実にかつ良好に取り付けることができる。
【００７５】
この場合、固定部１４は、両側部にねじ挿入孔１４ａが設けられ、ケース本体８の外面に設けられた台座部８ａに配置された際に、各ねじ挿入孔１４ａが台座部８ａに設けられた各ねじ穴８ｃにそれぞれ対応し、この状態で複数のねじ部材１６を各ねじ挿入孔１４ａを通して台座部８ａの各ねじ穴８ｃに螺合させて締め付けることにより、ケース本体８の台座部８ａに確実にかつ強固に固定させることができる。また、このロック部材１２は、固定部１４とロック部１５とが一体に形成されているので、部品点数の削減を図り、組立作業の簡素化を図ることができる。
【００７６】
また、このスイッチ装置４では、操作部材１３が、ケース本体８の貫通孔１１とロック部材１２の挿入孔１２ａとにスライド可能に挿入される軸部２０と、この軸部２０の外端部に設けられてロック部材１２にロック解除可能にロックされる頭部２１と、を備えていることにより、頭部２１をスライド操作させて軸部２０をケース本体８の貫通孔１１およびロック部材１２の挿入孔１２ａ内で良好にスライドさせることができると共に、頭部２１を回転操作させて軸部２０をケース本体８の貫通孔１１およびロック部材１２の挿入孔１２ａ内で良好に回転させることができる。
【００７７】
この場合、操作部材１３は、頭部２１の外径が軸部２０の外径よりも大きくても、ケース本体８の貫通孔１１に挿入する軸部２０の外径を頭部２１の外径よりも大幅に小さくすることができるので、ケース本体８の貫通孔１１の内径を軸部２０が挿入可能な最小限の大きさで小さく形成することができ、これによりケース本体８の上下方向の厚みを薄く形成することができる。
【００７８】
すなわち、このスイッチ装置４では、軸部２０が、ロック部材１２の挿入孔１２ａにスライド可能に挿入される本体軸２２と、この本体軸２２よりも小径で本体軸２２にスライド連結部２３を介して取り付けられてケース本体８の貫通孔１１を通してケース本体８内にスライド可能に挿入される操作軸２４と、を備えていることにより、操作部材１３をケース本体８の内部側に向けて押し込んでロック部材１２にロックさせる際に、スライド連結部２３によって操作軸２４がケース本体８内に不必要に押し込まれないようにすることができる。
【００７９】
この場合、軸部２０は、本体軸２２がロック部材１２の挿入孔１２ａにスライド可能に挿入されて、ケース本体８の貫通孔１１内に挿入されることがなく、操作軸２４がケース本体８の貫通孔１１内にスライド可能に挿入され、この操作軸２４の外径が本体軸２２の外径よりも小さく形成されているので、本体軸２２の外径が操作軸２４の外径よりも大きくても、ケース本体８の貫通孔１１の内径を小径の操作軸２４が挿入可能な最小限の大きさで小さく形成することができ、これによりケース本体８の上下方向の厚みを確実に薄く形成することができる。
【００８０】
さらに、このスイッチ装置４では、ケース本体８の外面に設けられた台座部８ａの凹部８ｂの内周面とロック部材１２の固定部１４の内端面に設けられて台座部８ａの凹部８ｂ内に挿入される凸部１７の外周面との間に配置される防水部材１８を備えていることにより、防水部材１８によって固定部１４の凸部１７と台座部８ａの凹部８ｂとの間の防水を図ることができる。
【００８１】
また、このスイッチ装置４では、防水部材１８がケース本体８の外面の台座部８ａに対してロック部材１２を位置決めすることにより、固定部１４を複数のねじ部材１６によって台座部８ａに固定する際に、台座部８ａに対する固定部１４の取付状態、つまり固定部１４の上下左右方向の傾きを防水部材１８の弾力によって調整することができる。これにより、ロック部材１２を台座部８ａに対して正確に且つ良好に位置決めすることができるので、ケース本体８の貫通孔１１とロック部材１２の挿入孔１２ａとを同一軸上に対応させて一致させることができる。
【００８２】
（第２実施形態）
次に、図５〜図８を参照して、この発明を適用した腕時計の第２実施形態について説明する。なお、図１〜図４に示された第１実施形態と同一部分には同一符号を付して説明する。
この腕時計は、図５〜図８に示すように、ロック部材１２のロック部３０が第１実施形態と異なる構造であり、これ以外は第１実施形態とほぼ同じ構造になっている。
【００８３】
すなわち、ロック部３０は、図５〜図７に示すように、固定部１４の外面に設けられた円筒部であり、外周面に係止部３１が固定部１４の外面から離れた状態で設けられた構造になっている。この係止部３１は、操作部材１３の頭部２１を係脱可能に係止するものであり、凸部３１ａと凹部３１ｂとが円周方向に沿って交互に設けられた構造になっている。
【００８４】
一方、操作部材１３の頭部２１には、図５、図６、図８に示すように、ロック部３０の係止部３１に係脱可能に係止される係合部３２が設けられている。この係合部３２は、頭部２１の凹部２１ａ内におけるロック部材１２側の内周面の端部に設けられている。すなわち、この係合部３２は、ロック部３０の係止部３１と同様、凸部３２ａと凹部３２ｂとが円周方向に沿って交互に設けられた構造になっている。これらロック部３０の係止部３１と頭部２１内の係合部３２とによって、ロック機構が構成されている。
【００８５】
これにより、ロック部３０は、図５〜図８に示すように、操作部材１３の頭部２１がコイルばね２６のばね力に抗してケース本体８の内部側に向けて押し込まれて、ロック部３０の係止部３１に頭部２１の係合部３２が対面した際に、頭部２１を回転させて、係止部３１の凹部３１ｂと係合部３２の凸部３２ａとを対応させると、係合部３２の凸部３２ａが係止部３１の凹部３１ｂを通り抜けるように構成されている。
【００８６】
また、このロック部３０は、図５〜図８に示すように、頭部２１の係合部３２がロック部３０の係止部３１を通り抜けた状態で、頭部２１を回転させて、係止部３１の凸部３１ａと係合部３２の凸部３２ａとを対応させて重ね合せた際に、コイルばね２６のばね力で係止部３１の凸部３１ａの内面に、これに対面する係合部３２の凸部３２ａの対向面が押し当てられることにより、頭部２１をロックするように構成されている。
【００８７】
また、このロック部３０は、図５〜図８に示すように、頭部２１をロックした状態で、頭部２１を回転させて係止部３１の凹部３１ｂと係合部３２の凸部３２ａとを対応させると、頭部２１のロックが解除されるように構成されている。すなわち、このロック部３０は、頭部２１のロックが解除された際に、コイルばね２６のばね力によって頭部２１がケース本体８の外部に向けて押し出されて、係合部３２の凸部３２ａが係止部３１の凹部３１ｂを通り抜けて、頭部２１がケース本体８の外部に押し出されるように構成されている。
【００８８】
このような腕時計のスイッチ装置４によれば、第１実施形態と同様の作用効果があるほか、ロック部材１２のロック部３０に係止部３１が設けられ、頭部２１の凹部２１ａ内に係合部３２が設けられていることにより、頭部２１を押し込んだ状態で所定角度回転させるだけで、簡単にかつ確実に頭部２１をロックすることができる。
【００８９】
すなわち、このスイッチ装置４では、操作部材１３の頭部２１をケース本体８の内部側に向けて押し込んで、頭部２１を所定角度回転させて、係止部３１の凹部３１ｂと係合部３２の凸部３２ａとを対応させると、係合部３２の凹部３２ｂが係止部３１の凹部３１ｂを通り抜け、この状態で頭部２１を回転させて、係止部３１の凸部３１ａと係合部３２の凸部３２ａとを対応させて重ね合わせることにより、簡単に頭部２１をロックすることができる。
【００９０】
また、このスイッチ装置４では、頭部２１をロックした状態で、頭部２１を回転させて係止部３１の凹部３１ｂと係合部３２の凸部３２ａとを対応させると、係合部３２の凸部３２ａが係止部３１の凹部３１ｂを通り抜けるので、簡単に頭部２１のロックを解除することができ、これによりロック部３０によるロック操作の簡素化を図ることができる。
【００９１】
なお、上述した第１、第２実施形態では、ロック部材１２の固定部１４を複数のねじ部材１６でケース本体８の外面に取り付けた場合について述べたが、この発明はこれに限らず、例えば、ロック部材１２のロック部１５と一体に形成された固定部１４を、ケース本体８にインサート成型によって一体に形成しても良い。このような構造では、上述した第１、第２実施形態のようにケース本体８の外面に台座部８ａを設ける必要がないので、ケース本体８の外径を小さく形成することができ、これにより腕時計の小型化を図ることができる。
【００９２】
また、上述した第１、第２実施形態では、ロック部材１２の固定部１４とロック部１５、３０とが一体に形成されている場合について述べたが、この発明は、これに限らず、固定部１４とロック部１５、３０とを別部品で形成して、ロック部１５、３０を固定部１４によってケース本体８の外面に固定するように構成しても良い。
【００９３】
このような構造では、固定部１４とロック部１５、３０とを別部品で形成しているため、操作部材１３が外部から受けた衝撃を分散することができる。ロック部１５、３０及び防水部材１８によりケース本体８の破損を防ぐことができ、固定部１４をケース本体８の外面に固定しているねじ部材１６の破損を防ぐことができる。
【００９４】
また、上述した第１、第２実施形態では、腕時計ケース１の３時側に設けられたスイッチ装置４について述べたが、この発明は、これに限らず、腕時計ケース１の２時側、４時側、８時側、および１０時側の押釦スイッチ３にも適用することができる。
【００９５】
さらに、上述した第１、第２実施形態およびその各変形例では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話や携帯端末などの電子機器にも適用することができる。
【００９６】
以上、この発明のいくつかの実施形態について説明したが、この発明は、これに限られるものではなく、特許請求の範囲に記載された発明とその均等の範囲を含むものである。
以下に、本願の特許請求の範囲に記載された発明を付記する。
【００９７】
（付記）
請求項１に記載の発明は、貫通孔が設けられたケースと、前記ケースの外面に固定され、中心部に挿入孔が前記貫通孔に対応して設けられたロック部材と、前記ケースの前記貫通孔と前記ロック部材の前記挿入孔とにスライド可能に挿入されて前記ロック部材にロックされる操作部材と、を備え、前記挿入孔の内径は、前記貫通孔の内径と同じ、または前記貫通孔の内径よりも大きいことを特徴とするスイッチ装置である。
【００９８】
請求項２に記載の発明は、請求項１に記載のスイッチ装置において、前記ロック部材は、前記ケースの前記外面に固定される固定部と、前記操作部材をロック解除可能にロックするロック部と、を備えていることを特徴とするスイッチ装置である。
【００９９】
請求項３に記載の発明は、請求項１または請求項２に記載のスイッチ装置において、前記操作部材は、前記ケースの前記貫通孔と前記ロック部材の前記挿入孔とにスライド可能に挿入される軸部と、前記軸部の外端部に設けられて前記ロック部材にロック解除可能にロックされる頭部と、を備えていることを特徴とするスイッチ装置である。
【０１００】
請求項４に記載の発明は、請求項３に記載のスイッチ装置において、前記軸部は、前記ロック部材の前記挿入孔にスライド可能に挿入される本体軸と、前記本体軸よりも小径で前記本体軸にスライド連結部を介して取り付けられて前記ケースの前記貫通孔を通して前記ケース内にスライド可能に挿入される操作軸と、を備えていることを特徴とするスイッチ装置である。
【０１０１】
請求項５に記載の発明は、請求項１〜請求項４のいずれかに記載のスイッチ装置において、前記ケースの前記外面に設けられた凹部の内周面と前記ロック部材の内端面に設けられて前記ケースの前記凹部内に挿入される凸部の外周面との間に配置される防水部材を備えていることを特徴とするスイッチ装置である。
【０１０２】
請求項６に記載の発明は、請求項２に記載されたスイッチ装置において、前記ロック部材の前記固定部は、前記ケースの円周方向に長く形成され、複数のねじ部材によって前記ケースの前記外面に固定され、前記防水部材は、前記固定部が前記複数のねじ部材によって前記ケースの前記外面に固定されることを特徴とするスイッチ装置である。
【０１０３】
請求項７に記載の発明は、請求項５に記載されたスイッチ装置において、前記防水部材は、前記固定部が複数のねじ部材によって前記ケースの前記外面に固定される際に、前記ケースの前記外面に対して前記ロック部材を位置決めすることを特徴とするスイッチ装置である。
【０１０４】
請求項８に記載の発明は、請求項１〜請求項７のいずれかに記載されたスイッチ装置を備えていることを特徴とする時計である。
【符号の説明】
【０１０５】
１  腕時計ケース
４  スイッチ装置
７  時計モジュール
８  ケース本体
８ａ  台座部
８ｂ  凹部
８ｃ  ねじ穴
９  外装部材
１１  貫通孔
１１ａ  小径孔
１１ｂ  大径孔
１２  ロック部材
１２ａ  挿入孔
１３  操作部材
１４  固定部
１５、３０  ロック部
１５ａ  雄ねじ部
１６  ねじ部材
１７  凸部
１８  防水部材
２０  軸部
２１  頭部
２１ａ  凹部
２１ｂ  雌ねじ部
２２  本体軸
２２ａ  非円形孔部
２２ｂ  円形孔部
２３  スライド連結部
２３ａ  ストッパ部
２４  操作軸
２５  防水パッキン
２６  コイルばね
２７  緩衝材
３１  係止部
３２  係合部
【図１】
2020098138.tif 000003
【図２】
2020098138.tif 000004
【図３】
2020098138.tif 000005
【図４】
2020098138.tif 000006
【図５】
2020098138.tif 000007
【図６】
2020098138.tif 000008
【図７】
2020098138.tif 000009
【図８】
2020098138.tif 000010
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
貫通孔が設けられたケースと、
前記ケースの外面に固定され、中心部に挿入孔が前記貫通孔に対応して設けられたロック部材と、
前記ケースの前記貫通孔と前記ロック部材の前記挿入孔とにスライド可能に挿入されて前記ロック部材にロックされる操作部材と、
を備え、
前記挿入孔の内径は、前記貫通孔の内径と同じ、または前記貫通孔の内径よりも大きいことを特徴とするスイッチ装置。
【請求項２】
請求項１に記載のスイッチ装置において、前記ロック部材は、前記ケースの前記外面に固定される固定部と、前記操作部材をロック解除可能にロックするロック部と、を備えていることを特徴とするスイッチ装置。
【請求項３】
請求項１または請求項２に記載のスイッチ装置において、前記操作部材は、前記ケースの前記貫通孔と前記ロック部材の前記挿入孔とにスライド可能に挿入される軸部と、前記軸部の外端部に設けられて前記ロック部材にロック解除可能にロックされる頭部と、を備えていることを特徴とするスイッチ装置。
【請求項４】
請求項３に記載のスイッチ装置において、前記軸部は、前記ロック部材の前記挿入孔にスライド可能に挿入される本体軸と、前記本体軸よりも小径で前記本体軸にスライド連結部を介して取り付けられて前記ケースの前記貫通孔を通して前記ケース内にスライド可能に挿入される操作軸と、を備えていることを特徴とするスイッチ装置。
【請求項５】
請求項１〜請求項４のいずれかに記載のスイッチ装置において、前記ケースの前記外面に設けられた凹部の内周面と前記ロック部材の内端面に設けられて前記ケースの前記凹部内に挿入される凸部の外周面との間に配置される防水部材を備えていることを特徴とするスイッチ装置。
【請求項６】
請求項２に記載されたスイッチ装置において、前記ロック部材の前記固定部は、前記ケースの円周方向に長く形成され、複数のねじ部材によって前記ケースの前記外面に固定されることを特徴とするスイッチ装置。
【請求項７】
請求項５に記載されたスイッチ装置において、前記防水部材は、前記固定部が複数のねじ部材によって前記ケースの前記外面に固定される際に、前記ケースの前記外面に対して前記ロック部材を位置決めすることを特徴とするスイッチ装置。
【請求項８】
請求項１〜請求項７のいずれかに記載されたスイッチ装置において、前記ケースは、ポリアミド樹脂にカーボン繊維またはガラス繊維を含有させたものであることを特徴とするスイッチ装置。
【請求項９】
請求項１〜請求項８のいずれかに記載されたスイッチ装置において、前記ケースの外面には台座部を備え、前記ロック部材は前記台座部に固定され、前記台座部は、前記ケースの外部に向け突出し、且つ円周方向に長く形成されていることを特徴とするスイッチ装置。
【請求項１０】
請求項１〜請求項９のいずれかに記載されたスイッチ装置を備えていることを特徴とする時計。